(57)【要約】少なくとも１つの信号導線（５）を備えたケーブルであり、このケーブルは例えばガラスファイバーおよび／またはガラスファイバー束であってケーブル内部空間（３）に収容されて、信号導線取出部分はこのケーブルの内部空間（３）から取り出すことができるようになっており、ここでこの取出部分の長さはこの取出部分をケーブルから取り出すことができるケーブル長の少なくとも１％であり、好ましくは２％より多く、とりわけ好ましくは４％より多く、そして更に好ましくは１０％より多い。
2010528341.tif 000002
【特許請求の範囲】
【請求項１】
少なくとも１つの信号導線（５）を備えるケーブルであって、
この信号導線は例えばガラスファイバーおよび／またはガラスファイバー束であって、この信号導線はケーブル内部空間（３）に収容され、信号導線取出部分が前記ケーブル内部空間（３）から取り出すことができるようになっており、
前記取出部分の長さは少なくともケーブル長の１％であり、このケーブル長に渡って前記ケーブルから取り出すことのできる前記取出部分は少なくとも１０ｍであり、更に特に少なくとも１００ｍであることを特徴とするケーブル。
【請求項２】
請求項１に記載のケーブルであって、
前記内部空間（３）を包囲するケーブル壁（２）を備え、ケーブル壁の少なくとも１つの所望の位置において、前記信号導線の取出部分に到達するために開口され、
当該開口の最大の大きさは導線部分が取り出される長さより小さく、とりわけ前記開口の最大の大きさは前記信号導線部分が取り出される長さの１０％より大きくないことを特徴とするケーブル。
【請求項３】
請求項１または２に記載のケーブルであって、
各信号導線（５）は、前記導線が完全に前記ケーブル内に延在する第１の格納位置から第２の位置となることができるようにケーブル（１）内に格納され、前記第２の位置では前記取出部分が少なくとも部分的に前記ケーブルの外に伸びており、
少なくとも前記取出部分の一部を提供する前記導線（５）の一部は、前記第２の位置で前記内部空間（３）にあることを特徴とするケーブル。
【請求項４】
請求項３に記載のケーブルであって、
前記第１の位置において、前記信号導線（５）はケーブル内部空間に対して多数回曲がり、
前記取出部分を提供するように前記ケーブル内に設置された該当する導線部分は、前記第２の位置においては、前記第１の位置におけるよりももっと少ない回数曲げられ、あるいはもっと少ない量曲げられており、そして前記ケーブル内部空間に対して実質的に平行に伸びていることを特徴とするケーブル。
【請求項５】
請求項１から４のいずれか１項に記載のケーブルであって、
前記ケーブル（１）は数個の互いに分離された内部空間（３）を備え、
各々の内部空間には１つの信号導線が設けられていることを特徴とするケーブル。
【請求項６】
請求項５に記載のケーブルであって、
前記ケーブルの内部空間はＳＺ−螺旋構造であることを特徴とするケーブル。
【請求項７】
請求項５または６に記載のケーブルであって、
前記ケーブル内部空間（３）には、ケーブルの長手方向で見て、うねりのある内壁が設けられていることを特徴とするケーブル。
【請求項８】
請求項１から７のいずれか１項に記載のケーブルであって、
ケーブルの断面で見て、前記内部空間（３）は前記該当する信号導線（５）に、第１の導線断面方向に、少なくとも信号線の断面の大きさの３倍の動きの自由度を与え、そしてこの内部空間は、第２の導線断面方向で見て、前記導線を、殆ど遊びがないように取り囲んでいることを特徴とするケーブル。
【請求項９】
請求項１から８のいずれか１項に記載のケーブルであって、
各々の前記内部空間（３）は着脱可能なカバー手段（２８）により１つ以上のケーブル長手方向の位置で封止されていることを特徴とするケーブル。
【請求項１０】
請求項１から９のいずれか１項に記載のケーブルであって、
前記ケーブル内部空間（３）の内径が該当する信号導線の外径の少なくとも５倍より大きいことを特徴とするケーブル。
【請求項１１】
請求項１から１０のいずれか１項に記載のケーブルであって、
前記信号導線は２０ｍｍの最少曲げ半径で前記ケーブル内に格納されており、好ましくは１５ｍｍの最少曲げ半径であり、更に好ましくは１０ｍｍの最少曲げ半径であることを特徴とするケーブル。
【請求項１２】
請求項１から１１のいずれか１項に記載のケーブルであって、
前記ケーブルの直径は前記信号導線の最少曲げ半径の２倍より大きいことを特徴とするケーブル。
【請求項１３】
請求項１から１２のいずれか１項に記載のケーブルであって、
前記取出部分の長さは、前記取出部分が前記ケーブル長に渡って取り出されることができる、前記ケーブル長の少なくとも２％であり、とりわけ好ましくは４％より多く、そして更に好ましくは１０％より多いことを特徴とするケーブル。
【請求項１４】
請求項１から１３のいずれか１項に記載のケーブルであって、
このケーブルには充填材が設けられ、この充填材の粘性は、少なくとも１０ｍのケーブル長に渡って前記の取出部分を取り出すことを可能とするのに十分に小さく、更にとりわけ少なくとも１００ｍに渡って取り出すことを可能とするのに十分小さいことを特徴とするケーブル。
【請求項１５】
ケーブル、例えば請求項１から１４のいずれか１項に記載のケーブルであって、このケーブルにはケーブルの内部空間（３）に収容された少なくとも１つの信号導線（５）が設けられており、この信号導線は例えばガラスファイバーおよび／またはガラスファイバー束であって、信号導線取出部分がケーブル内部空間（３）から取り出せるように設けられており、
前記ケーブルの少なくとも一部は、前記導線取出部分を提供する余分な導線長を含み、
前記余分な導線長は、この余分な導線長を含むケーブル部分の長さの少なくとも１％であり、好ましくは２％より多く、とりわけ好ましくは４％より多く、そして更に好ましくは１０％より多いことを特徴とするケーブル。
【請求項１６】
請求項１５に記載のケーブルであって、
前記余分な導線長を含むケーブル部分の長さが少なくとも１０ｍ、更に特に少なくとも１００ｍであることを特徴とするケーブル。
【請求項１７】
請求項１から１６のいずれか１項に記載のケーブルの使用であって、
前記信号導線取出部分は少なくとも部分的に前記ケーブルの前記内部空間から、例えば引き出されて、取り出され、そして信号受信手段および／または信号送信手段に接続されることを特徴とするケーブルの使用。
【請求項１８】
ケーブルネットワークを構築するための方法であって、
少なくとも１つの信号導線を備えた少なくとも１つのケーブルを提供することを含み、この信号導線は例えばガラスファイバーおよび／またはガラスファイバー束であって、この取出部分は前記ケーブルの内部空間から取り出すことができ、
前記取出部分の長さは前記取出部分をケーブルから取り出すことができるケーブル長の少なくとも１％であり、好ましくは２％より多く、とりわけ好ましくは４％より多く、そして更に好ましくは１０％より多いことを特徴とする方法。
【請求項１９】
ケーブルネットワークを構築するための方法、例えば請求項１８に記載の方法であって、
少なくとも１つの信号導線を備えた少なくとも１つのケーブルを提供することを含み、この信号導線は例えばガラスファイバーおよび／またはガラスファイバー束であって、この信号導線取出部分は前記ケーブルの内部空間から取り出すことができ、
前記ケーブルの少なくとも一部は前記導線取出部分を提供する余分な導線長を含み、
前記余分なケーブル長は、この余分な導線長を含むケーブル部分の長さの少なくとも１％であり、好ましくは２％より多く、とりわけ好ましくは４％より多く、そして更に好ましくは１０％より多いことを特徴とする方法。
【請求項２０】
請求項１８または１９に記載の方法であって、
前記ケーブルは所望の場所に敷設され、前記ケーブルが第１の敷設点と第２の敷設点との間に伸びるようになっており、
前記ケーブルは、前記信号導線に到達するために、前記敷設点間の少なくとも１つの所望の位置で開口され、
少なくとも前記導線取出部分の一部が前記ケーブルから前記開口を通して、好ましくは前記敷設点の近くで前記導線の部分が動くことなく、取り出されることを特徴とする方法。
【請求項２１】
請求項２０に記載の方法であって、
開口（９）が、ケーブル長手方向で測って、前記ケーブルから取り出される前記信号導線の所望の長さより短い長さに渡って前記ケーブルに設けられることを特徴とする方法。
【請求項２２】
請求項１８から２１のいずれか１項に記載の方法であって、
前記ケーブル導線は第１の位置から第２の位置に持ってこられて、
前記第１の位置で、前記ケーブル導線は前記ケーブル内で、該当するケーブル内部空間に対して多数の曲がりを生じることを特徴とする方法。
【請求項２３】
請求項１から１６のいずれか１項に記載のケーブルを少なくとも１つ備えたケーブルネットワークであって、
前記信号導線は種々のネットワーク部品間の信号伝送の目的で接続されることを特徴とするケーブルネットワーク。
【発明の詳細な説明】
【技術分野】
【０００１】
本発明はケーブル、およびケーブルネットワークを構築するための使用および方法に関する。
【背景技術】
【０００２】
信号伝送を目的としたケーブルネットワーク、例えばガラスファイバーネットワーク、の構築は、通常ネットワークの様々な部分の光ガラスファイバーの結合を含む。ガラスファイバーはそのような作業の際壊れる可能性があるため、これは比較的難しい作業である。更に、光学的条件（特にノイズに関する）のために、ガラスファイバーネットワークの２つのノード間では、通常最短の２０ｍ程度の距離が用いられ、これにより導線の修理長はこの最短の長さを持つ必要がある。
【０００３】
光ファイバーの溶接は重要なプロセスであり、クリーンな環境を必要とする。通常結合は地上（例えば水路の外側またはケーブルが敷設された溝）で行われる。このため余分なケーブル長を設置することが知られている（例えば特開平０２−１５６２０６号公報参照）。この欠点はこの余分なケーブル長が適切な場所、少なくとも例えば分岐が行われる場所に設置されなければならないことである。
【０００４】
従来技術では、例えば、ケーブルはいわゆるＳＺ螺旋（SZ-stranded）ケーブルで用いられており、このケーブルではワイヤーの螺旋（winding）方向は周期的に反転され、余分なガラスファイバー長が生じる（例えば米国特許公報第６７９５６２５号参照）。これはケーブルの熱的および機械的な長さの変化を補償するためである。この場合、この余分なガラスファイバー長はガラスファイバーに辿り着いて容易に取り出すことができるためであり（他のガラスファイバーに影響を与えず、断線を起こさない）、必要なガラスファイバーの長さはケーブルを比較的長く開口することにより得られる。
【発明の概要】
【発明が解決しようとする課題】
【０００５】
本発明は上記の問題の解決方法を提供することを目的とする。とりわけ本発明は比較的効率的、低コストかつ信頼性のあるケーブル設置を可能とする、改良されたケーブルを提供することを目的とする。
【課題を解決するための手段】
【０００６】
このため、本発明によるケーブルは、ケーブルの内部空間で少なくとも１つの信号導線、例えばガラスファイバーおよび／またはガラスファイバー束、がケーブル内部空間に備えられ、信号導線の取出部分の長さが、この取出部分をケーブル内部空間から取り出せるケーブル長に対して、少なくとも１％であり、好ましくは２％より大きく、とりわけ好ましくは４％より大きく、そして更にとりわけ好ましくは１０％より大きいことを特徴とする。
【０００７】
尚、ドイツ特許公開公報ＤＥ３５３７６８２は連続したケーブルと分岐ケーブルとの間の接続のみを開示しており、この連続したケーブルは好ましくは１．５ｍの長さのループで敷設され余分な長さを備えるようになっている。更に、特記すべきは、従来技術では１０メートル長さのケーブルで、その内部空間に信号導線を収容し、信号導線の取出部分がこのケーブル内部空間から取出すことができ、その取出部分の長さが１メートルのものは知られていない。以上のことから分かるように、従来技術は、他の方法を提示するなどで、実質的にこのような余分な長さの教示をしていない。
【０００８】
本発明の更なる実施形態では、内部空間３において特定のケーブル長に渡り伸びている導線部分全部を余分な導線取出長（上記の取出部分）として用いることができるケーブル構造となっている。
【０００９】
とりわけ、本ケーブルは信号導線のホルダとして用いることができ、信号導線取出部分もケーブルに格納される。好ましくは、信号導線の比較的長い部分（好ましくは全信号導線）が信号導線取出部分の長さとなるようにすることができる。更に、有利な点は、上記の取出部分がケーブルの比較的小さな開口から（例えば取出される導線部分の長さより大幅に小さい長さの開口から）取出すことができることである。各開口の最大断面の大きさ（例えば断面積）は、例えば取り出される信号導線の１０％以下であり、好ましくは取り出される信号導線の長さの１％以下である。ケーブルからのこの取出部分の取り出しは具体的にはケーブルからこの導線部分を引き寄せて取り出すことになる（実質的に導線の長手方向への張力による）。
【００１０】
取出部分（すなわちこの取出部分の長さ）をケーブルから取り出せるケーブル長が少なくとも１０ｍであり、更にとりわけ少なくとも１００ｍである場合に有利である。このようにして、比較的長いケーブル部分が余分な取出長（すなわち上記の取出し部分）を提供することができる。他の形態では、取出部分がケーブルから取り出せるケーブル長は１０ｍより小さくともよい。
【００１１】
本発明の更にもう１つの実施形態によれば、本ケーブルには例えば、充填材（例えば液体、例えば空気、ガスまたはガス混合物、または適合したジェル）が用いられてよい。この充填材の粘性は好ましくは、少なくとも１０ｍのケーブル長に渡って、取出長を取り出すことができる程度に小さく、更にとりわけ好ましくは少なくとも１００ｍに渡って取り出すことができる程度に小さい。
【００１２】
本発明の更に具体的な実施形態では、各信号導線は、導線が完全にケーブル内に延在する第１の格納位置から第２の位置となることができるようにケーブル内に配置され、この第２の位置で上記取出部分は実質的にケーブルの外側に延在する。
【００１３】
とりわけ、上記の取出部分の少なくとも一部をもたらす導線の部分は、まだ上記の内部空間で第２の位置にあってよい。
【００１４】
各信号導線は、例えば、第２の位置に持ってくることができ、この第２の位置では、ケーブル内部空間（特定のケーブル長に渡って）内に延在する導線部分は、第１の位置においてケーブル内部空間（同じケーブル長に渡って）内に延在する導線部分より短い。第２の位置に持ってこられた導線の残りの部分は、好ましくは次に、適合したケーブルの開口を通して、ケーブルの外側に持ってこられる。
【００１５】
上記の第１の位置では、信号導線は、例えば、ケーブル内で多数回曲げられてよく、第２の位置では第１の位置での場合より少ない回数の曲がりまたは少ない量（例えば僅かなおよび／または曲がり無し）の曲がりであり、これにより余分な取出長が（すなわち上記の取出部分）が提供される。
【００１６】
本ケーブルは数個の互いに分離された内部空間を備えてよく、各々の内部空間には１つの信号導線が設けられている。更に、本ケーブルが互いに分離された内部空間を備える場合、および各内部空間に少なくとも２つの信号導線が設けられている場合は有利である。
【００１７】
本発明の１つの実施形態では、ケーブルの断面で見ると、上記の内部空間は各々の信号導線に、第１の導線の断面方向で、少なくとも信号線の断面の大きさの３倍の動きの自由度を与える。この内部空間は好ましくは、更に、第２の導線断面方向で見て殆ど遊びがないように、導線を取り囲んでいる。
【００１８】
本発明のとりわけ有利な実施形態では、上記のケーブル内部空間の内径が各信号導線の外径の少なくとも５倍より大きい。
【００１９】
本発明の１つの実施形態では、上記の信号導線は２０ｍｍの最少曲げ半径でケーブル内に格納されており、好ましくは１５ｍｍの最少曲げ半径であり、更に好ましくは１０ｍｍの最少曲げ半径である。
【００２０】
本発明の１つの実施形態では、ケーブルの直径は上記の信号導線の最少曲げ半径の２倍より大きい。
【００２１】
本発明は更に、例えば請求項１−１４のいずれか１項に記載のケーブルを提供し、このケーブルの内部空間には少なくとも１つの信号導線が設けられており、例えばガラスファイバーおよび／またはガラスファイバー束が、信号導線の取出部分がケーブル内部空間から取り出せるように設けられており、このケーブルの少なくとも一部は余分な導線長を含み、上記の導線取出部分をもたらすようになっており、この余分な導線長は、この余分な導線長を含むケーブル部分の少なくとも１％であり、好ましくは２％より多く、とりわけ好ましくは４％より多く、そして更に好ましくは１０％より多い。
【００２２】
更に、本発明は上記のケーブルの有利な用途（使用）を提供し、この用途では上記の信号導線の取出部分は、例えば引出され、ケーブルの内部空間から少なくとも部分的に取り出すことができ、信号受信手段および／または信号送信手段に接続することができる。上記の信号受信手段および／または信号送信手段は、例えば、１つ以上の他の信号導線、信号送信器、信号受信器、プロセッサ、ネットワーク部品、結合手段、および／または他の信号受信手段および／または信号送信手段を備えてよい。
【００２３】
本発明は更に、ケーブルネットワークの構築方法を提供し、このケーブルネットワークの構築方法は少なくとも１つの信号導線を備えた少なくとも１つのケーブルを提供し、このケーブルは例えばガラスファイバーおよび／またはガラスファイバー束であって、この取出部分はこのケーブルの内部空間から取り出すことができ、上記の取出部分はこの取出部分をケーブルから取り出すことができるケーブル長の少なくとも１％であり、好ましくは２％より多く、とりわけ好ましくは４％より多く、そして更に好ましくは１０％より多い。
【００２４】
本発明の１つの実施形態では、本ケーブルの少なくとも一部は上記の導線の取出部分を提供する余分な導線長を含むことができ、この余分な導線長は、この余分な導線長を含むケーブル部分の長さの少なくとも１％であり、好ましくは２％より多く、とりわけ好ましくは４％より多く、そして更に好ましくは１０％より多い。
【００２５】
余分な導線長を含むケーブル部分の長さが少なくとも１０ｍ、特に少なくとも１００ｍである場合は有利である。
【００２６】
更に、本発明によるケーブルを少なくとも１つ備えたケーブルネットワークが提供され、このネットワークでは上記の信号導線が種々のネットワーク部品間の信号伝送の目的で接続されている。
【００２７】
上記より分かるように、本発明の１つの実施形態は設置方法とケーブル構造に関連し、例えば光ガラスファイバーユニットの信号導線の大量の余分な長さがケーブル内に格納され、特に導線を多数回の曲がり（すなわち特定の曲線に沿って）によりケーブル内に大量の余分な長さが格納される。この導線は、例えば、ケーブル内で真っ直ぐに引き寄せられて、長い部分がケーブルから引き出せるようになり、この場所では好ましくは充填材が使用されていない。このようにして、ケーブルの接続は、例えばケーブルに設けられた開口から、２、３メートルの距離で行われる。すなわちこのような接続を行わなくとも分岐場所に到達することができる。
【００２８】
好ましくは、本ケーブルは上記の信号導線が比較的大きな螺旋（winding）直径および／またはこれらの小さな曲げ半径で用いられ、ケーブルには内部に比較的自由な空間がもたらされる。
【００２９】
本発明の１つの実施形態では、各々の信号導線は、例えば、ケーブル内の１つ以上の曲線経路部分（例えば１つ以上の螺旋（spiral）経路部分または螺旋（helical）経路部分）に沿って伸びまたは屈曲（wound）し、そして各々の信号導線は、例えば、これらの経路から曲がりのもっと小さな導線または実質的に直線の導線とすることができる。更に、各々の上記の信号導線が少なくとも１メートルまたはこれ以上の長さに渡りケーブルの所望の位置から引き出せる場合は有利となる。
【００３０】
本発明の１つの実施形態では、個別の複数の信号導線のグループは、ケーブルの分離された内部空間に別々に格納され、および／または例えば特定のＳＺ−螺旋（SZ-spiral）構造で格納される。好ましくは、異なる信号線は互いに独立にあるいは独立したグループで、ケーブルから取り出すことができ、この際ケーブルの他の信号導線または信号導線のグループの位置に影響を与えない。
【００３１】
本発明のとりわけ有利な実施形態では、各々の信号導線を少なくとも１０メートルの長さに渡って取り出すことができる。このようにして、１つの信号導線が、例えば、所望の最終位置（例えば１つの家屋）に、このための余分な中間接続を行うことを必要とせず、直接導入できる。このようにして、フレキシブルに適用可能なコスト効率の良いネットワークが得られる。
【００３２】
好ましくは、本ケーブルそれ自体は補強材を伴わない。この結果、上記のケーブルは、例えば、−３０℃から＋７０℃の温度範囲に渡って、少なくとも２％伸長するように準備される。本ケーブルは、例えばプラスチックで作製され、このプラスチックは例えばＨＰＤＥ（Ｈｉｇｈ−Ｄｅｎｓｉｔｙ  Ｐｏｌｙｅｔｈｉｌｅｎｅ）または他の適合した、比較的安価な物質である。
【図面の簡単な説明】
【００３３】
本発明の更に詳細な実施形態が、従属項に記載されている。ここで種々の実施形態例と図を参照して本発明について説明する。
【図１】図１は、従来知られているケーブルコアの断面を概略的に示す。
【図２】図２Ａは、本発明の第１の実施形態例の断面を概略的に示す。図２Ｂは、引き延ばされたケーブルの２つの導線ダクトの側面の立面概略図であり、２つの異なる導線位置で、第１の実施形態例をダクト方向に見たものである。
【図３】図３Ａは、本発明の第２の実施形態例の概略断面図を示す。図３Ｂは、長く延びたケーブルの２つの導線ダクトの側面の立面概略図であり、２つの異なる導線位置で、第２の実施形態例をダクト方向に見たものである。
【図４】図４Ａは、本発明の第３の実施形態例の概略断面図を示す。図４Ｂは、長く延びたケーブルの２つの導線ダクトの側面の立面概略図であり、２つの異なる導線位置で、第３の実施形態例をダクト方向に見たものである。
【図５】図５Ａは、本発明の第４の実施形態例の概略断面図を示す。図５Ｂは、長く延びたケーブルの２つの導線ダクトの側面の立面概略図であり、２つの異なる導線位置で、第４の実施形態例をダクト方向に見たものである。
【図６】図６Ａは、本発明の第５の実施形態例の概略断面図を示す。図６Ｂは、長く延びたケーブルの２つの導線ダクトの側面の立面概略図であり、２つの異なる導線位置で、第５の実施形態例をダクト方向に見たものである。
【図７】図７は、本発明の第６の実施形態例の概略断面図を示す。
【図８】図８は、本発明の第７の実施形態例の概略断面図を示す。
【図９】図９は、本発明の方法の実施例を示す。
【図１０】図１０は、本発明の方法の実施例を示す。
【図１１】図１１は、本発明の第１の実施形態による方法の実施例を示す。
【図１２】図１２は、本発明の第２の実施形態による方法の実施例を示す。
【図１３】図１３は、本発明の第３の実施形態による方法の実施例を示す。
【発明を実施するための形態】
【００３４】
本発明の適用にあたり、同一または対応する手段は同一または対応する参照記号で示されている。
図１は従来のＳＺ−螺旋（SZ-stranded）ケーブルコア（米国特許第６７９５６２５Ｂ１号と相似する）の所望の断面を示し、このケーブルはで外側に複数の溝すなわちスロット１９を備え、そして特に中央の補強部１７を含み、この補強部にはスペーサー１８が設けられており、このスペーサー１８にはその外側に信号導線１０を収容する溝１９を備える。この溝１９はリブ１１の手段により互いに分離されている。当業者には良く知られているように、この構造は、ＳＺ−構造により複数の導線１０が次々に、異なる方向の螺旋（spiral）経路を辿る（少なくとも螺旋（helical）経路部分には中間の折り返し曲線が設けられている）。このようなコアは通常、押出成型手段により製造される。
【００３５】
図２Ａ−２Ｂはケーブル１を備えた本発明の１つの実施形態を示し、ケーブルの内部空間（ダクト）に収容される少なくとも１つの信号導線５（「サブユニット」とも呼称される）を備える。この信号導線は例えばガラスファイバーおよび／またはガラスファイバー束である。本ケーブル１は信号導線の取出部分がケーブル内部空間３から取り出せるようになっており、上記の取出部分の長さは、該当するこの取出部分が引き出されるケーブル長の少なくとも１％であり、好ましくは２％より多く、とりわけ好ましくは４％より多く、そして更にとりわけ好ましくは１０％より多く、例えば１５％より多い。特に、これは信号導線が第１の位置から第２の位置に持ってくることができる部分のケーブル長を含む（下記参照）。更に、上記の取出部分は全体的および部分的に、ケーブル使用中にケーブルから取り出すことができる。
【００３６】
本ケーブル１は、上記のケーブル長に渡ってケーブル内部空間３に伸びている導線部分が全て、上記の取出部分の余分な取出長を提供できるような構造となっている。
【００３７】
上記のケーブル長は特に、導線の取出部分の提供に寄与するケーブルの部分に対応しており、例えば余分な信号導線長を含むケーブル部分に対応している。
【００３８】
上記のケーブル長は、例えば、ケーブルの全部の長さであっても、またケーブルの一部の長さであってもよい。特に、上記のケーブル長の上記の取出部分はケーブル１から引き出すことができ、ここで、信号導線５は上記のケーブル長でのケーブル内で第２の位置に動いて、このケーブルから取出部分を引き出すための導線部分とすることができる。上記の取出部分を取り出した後、ケーブル内に残った導線の部分は、好ましくは全ケーブル長に渡りケーブル内に伸びている。
【００３９】
言い換えると、少なくともケーブルの一部は特定のケーブル長を持ち、このケーブルの一部は長い導線長（この該当するケーブル長より少なくとも１％より大きな導線長）を含み、上記の導線の取出部分の少なくとも一部分を提供する。図から分かるように、上記の取出部分の少なくとも第１の部分を提供する（およびこのために第１の位置から第２の位置に持ってくることができる）この導線の部分はまだ上記の内部空間の第２の位置にある。残りの取出部分の第２の部分は、従って、該当する導線部分から提供される（この部分の導線は従ってこの内部空間の外となる）。
【００４０】
この構造は特に、上記の導線取出部分を取り出す際に、該当する導線５の残りの部分が、例えば上記の内部空間３において、例えば導線方向で横に動いて、余分な導線長をもたらすようになっている（図参照）。
【００４１】
本発明の実施形態では、ケーブル１は上記の内部空間３を包囲するケーブル壁２を備え、この壁は少なくとも１つの所望の位置（外部から）からケーブル内に束縛された信号導線５に到達し、そしてこの信号導線５を部分的にこのケーブルから取り出せるように特に用意されている（図９−１０も参照）。ケーブル壁２を開口するには、例えば、切り込み、剥離、溶融を用いた開口、引き裂き、材質除去および／または開口に適した他の方法がある。更に、ケーブル壁２は、例えば、１つ以上の適合した位置で壁の弱い部分（例えばマーキング等による）が組み込まれており、ここでは比較的容易にケーブル壁を局所的に開口することができる。
【００４２】
とりわけ、このケーブル１には数個の内部空間３（内部導線ダクトまたは導線格納室とも呼称される）が設けられている。この場合、各内部空間３は更に少なくとも１つの信号導線５（例えば図に示すように、少なくとも４つ）を備える。
【００４３】
各内部空間すなわちケーブルダクト３はケーブル１内で異なる方向に伸びてよく、例えば中央のケーブルのセンターラインに実質的に平行に伸びてよい。各内部空間すなわちダクト３に螺旋（winding）構造が設けられている場合は有利である。これより、本ケーブルの内部空間は、例えば、ＳＺ−配線構造となってよい。図２Ａ−２Ｂの実施形態では、各内部空間３は好ましくはケーブルにおける１つ以上の曲線経路部分（例えば１つ以上の螺旋（spiral）経路部分または螺旋（helical）経路部分）に沿って伸びているものをケーブル長手方向で図示している。好ましくは、この内部空間３は周期的に反転する螺旋の屈曲方向を持つＳＺ−構造で伸びている。とりわけ、この内部空間３は（少なくとも接線方向に）互いに中間隔壁すなわちリブ９によって分離されている。このような分離隔壁すなわちリブ９は、ケーブル長手方向で見て、連続していても、または途中で切れていてもよい。この分離隔壁すなわちリブ９は異なる内部空間３の間では気密障壁を形成するように用意されてよい。しかしながら、このような隔壁は必須ではない。
【００４４】
更に図から分かるように、ケーブル内部空間（ダクト）３は、ケーブル長手方向で見て好ましくはうねりまたはＳＺ−構造のある内壁を備える。内部空間３の信号導線５は、例えば、これらのうねりを辿り、該当する第１の信号導線位置（ケーブル内での止め、束縛）で更にもっとうねり、そして第２の信号導線位置である、うねりのもっと少ない状態（たとえば直線）とすることができる（とりわけ導線すなわち導線５をケーブル１から取り出す目的で、この導線すなわち導線５の束縛が緩められる場合）。
【００４５】
言い換えれば、上記の第１の信号導線位置では、導線取出部分は全て、該当するケーブル内部空間にある。上記の第２の信号導線位置では、導線取出部分は全体的または部分的に該当するケーブル内部空間の外にある。
【００４６】
各信号導線５は、好ましくは、ケーブル１内に格納され、この導線５が第１の格納位置からケーブル１内で第２の位置まで完全に伸びて、この第２の位置で上記の取出部分が実質的にケーブル１の外に伸びるように持ってくることができる。図２Ｂは第１の位置における信号導線の束５ａを備えた第１の内部空間３ａを示し、この位置でこの束５は、好ましくは該当するケーブル内部空間３の長手方向の壁９のうねりで定められるように、ケーブル内で多数回折り曲がる。更に、図２Ｂは第２の位置における信号導線の束５ｂを備えた第２の内部空間３ｂを示し、この位置でこの束５ｂは例えば該当するケーブル内部空間３の中央の実質的な長手方向軸に沿って伸びている。
【００４７】
更なる本発明の有利な実施形態では、異なる信号導線が実質的に連続して互いに接触しながら、各々の内部空間３において互いに一緒に伸びてよく、例えば分離された信号導線の束（図２Ｂに示すような）のようになっていてよい。しかしながらこの形態は必須なものではない。更に、上記の信号導線は、例えば、該当する第１の位置におけるケーブル１の内側のうねりに沿って完全に伸びてよく、またはこのような内側のうねりに周期的に接触してよく（図２Ｂのように）、またはそうでなければその信号導線の第１の位置に置かれていてもよい。
【００４８】
図２Ａに対してケーブルの断面から見て、各々の上記の内部空間／ダクト３は該当する信号導線５に第１の導線の断面方向で、少なくとも導線の断面の大きさの３倍の動きの自由度を与えることができる。図２Ａ、２Ｂには、ケーブルのセンターラインから見て、第１の導線の断面方向は実質的に接線方向である。内部空間３はまた、好ましくは（複数の）導線を第２の導線の断面方向で見て殆ど遊び無しに包囲する。この第２の断面方向は上記の図２におけるケーブルのセンターラインに関して半径方向である。
【００４９】
各々の中空のケーブル内部空間３は、例えば適合した充填材、例えば液体、例えば空気、ガスまたは混合ガス、または適合したジェルで充填してよい。好ましくは、チューブ１の中空の内部空間は固い充填材で充填されない。
【００５０】
更に、本ケーブルは漏入止め手段を備えてよく、例えば膨張粉体等の膨張手段を設けて、漏入が起こった場合に、ケーブルの外部から上記の中空内部空間３の長手方向に物質が漏入して広がることを自動的に止めるようにする。
【００５１】
このケーブル壁２それ自体は、例えば、種々の物質から製造されてよく、例えば１つ以上の適合した物質、随意に強化プラスチックあるいは他の物質を用いて製造されてよい。好ましくは、本ケーブル壁はそれ自体特定の柔軟性を持ち、本ケーブル１は場合によっては所望の曲がりでの設置が可能である。
【００５２】
図２Ａ、２Ｂから分かるように、各々の信号導線ダクト３の接線方向の幅は、このダクト３に伸びている信号導線５の幅を積算したものより大幅に大きくてよく、例えば少なくとも２倍大きい。
【００５３】
当業者であれば各ダクト３はその断面から見て、様々な形状、例えば円弧形状（図５に示すような）または鋭角なＶ−形状または他の形状でもよいことはすぐに明白であろう。
【００５４】
本ケーブル１の外径は、例えば、約１０−５０ｍｍの範囲でよく、とりわけ約１０−３０ｍｍでよく、または２０ｍｍより大きくてよく、または他の大きさでよい。同様のことがケーブル壁２の内径にもあてはまる。ケーブル壁２の半径方向の厚さは、上記の外径と内径との間で計測して、例えば約１ｍｍ−５ｃｍの範囲でよく、とりわけ約５ｍｍでよく、またはこれら以外の値でよい。上記の信号導線５の外周、例えば外径ｄは、例えば約０．２５−１０ｍｍの範囲でよく、とりわけ約１−２ｍｍの範囲でよく、またはこれらと異なる大きさでよい。
【００５５】
具体的には、図２は例えばスペーサ４ｂと、随意で（この場合は中央の）補強部４ａを備えたケーブル１を示す。この補強部４ａは例えばケーブル１を補強するように設計されてよく、例えばケーブル１に加えられる張力を補償するように設計される。
【００５６】
上記の隔壁すなわちリブ９はこのケーブル１に設けられており、接線方向に伸びる数個（この場合６個）の内部導線ダクト３を定めている。ダクトにおいては、例えば、毎回４つの信号導線ユニット６（例えば１．８ｍｍの直径、またはこれと異なる断面の大きさを持つ）が設置される。本ケーブル１には隔壁すなわちリブ９の上に、例えば、円柱状の保護ケース２が設けられ、この保護ケース２は好ましくは上記の内部空間を完全に包囲する。このケース２は、例えば、４０ｍｍの外径を持ち、またはこれと異なる外径を持つ。本発明の１つの実施形態では、このダクト３は、例えば、交互に並ぶＳＺ−螺旋（SZ-stranding）となっており、例えば導線５が直線に引き伸ばされる（図２Ｂ参照）ようになっている。このような実施形態では最大の導線引出し長（すなわち信号導線取出部分の長さ）はケーブル１の長さの約４．５％に達することも可能である（導線５の最少の曲げ半径２０ｍｍおよびケーブル直径４０ｍｍを用いる）。
【００５７】
図３Ａ−３Ｂは本発明の第２の実施例を示す。この場合、ケーブル２１には多数の長い半径方向のスロット２３が設けられ、これらは各々が多数の導線５を（例えば適切に積み重ねられ、またはグループで）収容するように設計されている。各スロット２３は、例えば、信号導線５が接線方向に殆ど遊びを持たないように、信号導線を包囲するように設計されており、そしてこの信号導線５に、ケーブルのセンターラインから見て半径方向に所定の動きの自由度を与える。このケーブル２１は（この場合は実質的に円柱状の）ケーブル本体２２を備え、このケーブル本体２２は上記の半径方向に延びたスロット２３を含んでいる。ケーブル本体２２の中央には、上記のスロット２３の間に、例えば補強部２４が設けられ、この補強部はケーブルのセンターラインに沿って同軸で伸びている。この場合、各内部空間２３は２つの信号導線５（例えば各々は１．８ｍｍの直径を持つ）が設置されている。
【００５８】
好ましくは、これらのスロット２３は径方向の外側に沿って、封止手段により封止されており、例えば１つ以上の蓋部２８が設けられている。この封止手段は、例えば、ケーブル本体２２と一体で製造されてよい。ケーブルの長手方向で見て、この封止手段は例えば着脱可能な蓋部２８として全面的に機能するように設計され、このケーブルのどこの長手方向位置においてもこの封止手段を開けることができ、ここからケーブル２１の信号導線に到達できるように設計される。他の形態では、封止手段は異なるケーブルの長手方向位置においてのみ着脱可能な蓋部２８を提供する。上記の蓋部２８には、例えば、弱い部分が組み込まれており、着脱可能なスナップ結合、開閉可能な壁部、切込を入れて開けることができる壁部、または他の着脱可能な設計としてよい。好ましくは、このような蓋部２８はマーキングを提供するように設計され、または適切なマーキングが設けられるように設計され、内部スロット２３の位置を示すようになっている。この蓋部２８は、好ましくは比較的難しくなく、局所的にケーブル壁を開けることができるように使用可能である。
【００５９】
この本発明の実施例では、スロット２３には、例えばケーブル２１の螺旋（helical）構造は設けられていないが、ケーブルの長手方向に平行に伸びている。好ましくは、ケーブル２１のセンターラインの付近に伸びる各スロットの底部は、例えばうねり形状を持ち、例えば実質的にサイン波形状（図３Ａ、３Ｂのような）かまたは他の形状のうねりを持ち、またはうねりのピークが隔壁として設けられている形状となっている。第１の位置において、導線５の下の方の導線は、実質的に続いて該当するスロット２３の底部に沿って伸びており、これに対しこの導線に続いて他の導線は実質的に互いに支え合っており、好ましくはこの導線５の各々がスロット底部２３のうねり形状となっている。各導線５は各々のうねりがもっとうねりの少ない状態に持ってくることができ、例えば実質的に直線とすることができる。これが図３Ｂに示されており、ここでは第１の導線５ａは第１の長手方向スロット２３ａの底部２２ａにうねり形状で設置されており、そして第２の導線５ｂはこのような位置から第２の位置に持ってこられて各々のスロット２３ｂを通り実質的に直線に伸びている（ここでは導線５ｂは各々のスロット底部２２ｂから実質的に全く離れている）。このような実施形態では、得られる最大の余分な導線長（すなわち信号導線の取出部分の長さ）は、例えばケーブル２１それ自体（最少の導線曲げ半径２０ｍｍおよびケーブル直径４０ｍｍで）の６．２％となっている。
【００６０】
本発明の別の実施形態では、スロット２３は螺旋（spiraled）、螺旋（helical）またはＳＺ構造になっている。この場合、信号導線を引き出す際に、この信号導線は内側に引き寄せられるので、ここではほぼ直線となる（しかし取出長の大部分）。実際は、ここでは図２および３のアイデアは組み合わされ、接線方向の自由空間は必要でなくなる。
【００６１】
図４Ａ、４Ｂの設計は、例えば、（この場合は２つの）平行した補強部材３４および数個（この場合６個）の平行な（具体的には垂直方向で）スロット３３が設けられたケーブル部３１を含み、これにおいては毎回数個（この場合は４個）の信号導線５が設置される。好ましくは、スロット３３には着脱可能な封止手段が設けられ、例えば蓋部３８（上記参照）が設けられている。具体的には、個々のスロット３３の封止手段３８は同じ面上に伸びて、互いに隣接しており（図４Ａに示すように）、例えばケーブル３１の上側に沿ってあるいは上側に伸びており、これにより封止手段３８には外部から、同じ方向から到達可能である。スロット３３はケーブル３１の平行に長い隔壁部３２ａで互いに分離されている。これらの隔壁３２Ａはそれぞれ連続するように設計されているが、これはしかし必須ではない。
【００６２】
好ましくは、各スロット３３の底部は上記同様にうねっており（例えば図４Ｂに示すように実質的にサイン波形状）、これにより導線５は底部に設置されたうねり位置から引き出されて（好ましくは連続的に）、うねりのもっと少ない線となるようにされ、例えば直線となる。この場合、ケーブル長（最少の曲げ半径２０ｍｍおよびケーブル直径４０ｍｍのもの）の１２．１％の長さを持つ信号導線取出部分が得られる。
【００６３】
図５Ａ、５Ｂによる設計では、数個の平行したスロット４３を持つ補強部４４を備えたケーブル本体４２が提供される。この設計は図４によるものと、実質的に直線状の底部（少なくとも底部はケーブルのセンターラインに平行である）を持つスロット４３および封止手段４８が異なっている。各スロット４３には数個の信号導線５が互いに重ねられて設置されている。この場合、これらの導線５はＳ形状に曲げられてスロット内で伸びている。この結果、各信号導線５それ自体は、ケーブルを上から見て、少なくとも２回重なっている（図５Ｂ参照）。言い換えると、この信号導線５は長手方向のスロット４３に置かれ、この導線がスロット４３の特定の長手方向部分を少なくとも３回通るようになっている。このようにして、最大の余分な導線長（すなわちケーブルから取り出せる信号導線の取出部分の長さ）がケーブル４１の長さの２００％を下回らない長さとなる。好ましくは、このため最少の曲げ半径はケーブル直径の１／２より小さい。
【００６４】
図６Ａ、６Ｂは円柱状ケース５２を備えたケーブル５１の構造を示し、そして例えば中央の補強部５４を備える。図５による構造には、例えば、螺旋状（spiral）空間ユニット５２（フィンランド特許第８９５６０７号参照）が設けられ、内部空間５３にはうねり（具体的には螺旋（helical）であり、図６Ｂの射影方向ではサイン波形状である）が設けられており、ここで本発明の場合は、上記の信号導線には比較的長い取出部分が与えられている。好ましくは、内部空間５３はガスまたは混合ガス、例えば空気で充填されている。図６Ｂに示すように、第１の位置で信号導線５は、例えば、内部空間５３Ａ（ここでは所望の信号導線取出部分もこれらの内部空間５３Ａにある）の螺旋状（spiral）空間のうねりに止められまたは束縛され、第２の位置で（ここではこの信号導線取出部分はケーブル５１から取り出されている）、例えば螺旋状空間の内部空間５３Ｂを通して直線に伸びている。この螺旋状空間ユニットはケーブルケース５２に螺旋状（helical）経路で設置されるか、または周期的に交代する屈曲方向を持つ螺旋状（helical）経路で設けられる。直線ラインに対して実質的にサイン波形状を持つ信号導線５の、最大の余分な長さは、この構造ではケーブル５１自体の長さの約７．８％である（ケーブル５１が最少曲げ半径２０ｍｍおよびケーブル直径４０ｍｍを持つ場合）。
【００６５】
図７による構造では、本ケーブルは例えば中空のチューブ６１を備え、例えば３２ｍｍの外径あるいは他の外径を持ち、このケーブルには数個の信号導線５の束６５が第１の位置で束縛されている。この第１の位置では、束６５は好ましくは各々がチューブ６１の内壁に例えば上記のＳＺ−螺旋（spiral）構造で押しつけられており、そして特に実質的に連続して内壁に押しつけられている。この場所から、束６５は内壁から離され、そして引き寄せられて直線ライン（参照番号６５’で示す）とされることができ、これが余分な導線長を提供する（少なくとも該当する束の束縛が解除された場合）。最大の余分な長さは、この場合、ＳＺ−螺旋状束で、直線ラインに対し約３０−７１％であり、ここで束の最少の曲げ半径は２０ｍｍでケーブル半径は３２ｍｍである。
【００６６】
図８はケーブル内部空間７３を包囲する中空のチューブ７１を備えた実施例を示し、ここでは（円柱状の）チューブ壁７２に内部の溝７３ａが設けられており、ここで導線５は第１の位置に収容されている。この溝７３ａは好ましくは螺旋（spiral）構造であり、ケーブルの長手方向で見て、例えば螺旋（helical）形状かまたは上記のＳＺ−螺旋（spiraling）形状である。導線５はこの溝７３ａから内部空間７３に導入されることができ、例えば直線ライン（参照番号５’で示す）となり、好ましくは互いに独立している。この場合、もし少なくともＳＺ−螺旋（spiral）束が最少曲げ半径２０ｍｍおよびケーブル直径３２ｍｍで用いられている場合は、最大の取出長は全ケーブル長の３０−７１％である。好ましくは、上記のケーブル内部空間７３の内径は少なくとも各々の信号導線５の外径の５倍より大きい。
【００６７】
上記から分かるように、本ケーブル１は、例えば、１つ以上の内部空間３が設けられた、各々の内部空間に少なくとも１つの信号導線５を持つ、長手方向の長い構造を備え、例えばケーブル１内に格納されたサブユニットを備える。１つの構造では、このような信号導線またはサブユニット５は、例えば少なくとも２％の余分な長さ（ケーブル長と比較して）を持ち、引き出されて実質的に直線ラインとなる。好ましくは、内部空間３では追加の充填材は使用されないので、導線５は解放後、第１の位置から第２の位置に自由に移動することができる。１つの実施例では、上記導線の取出長は４％より大きい。１つの構造では、各信号導線は、ケーブル１に束縛されおよび／または止められた第１の状態では、２０ｍｍ以下の半径で曲げられ、特に１５ｍｍ以下の半径で曲げられ、そして特に１０ｍｍ以下の半径で曲げられる。
【００６８】
本発明の特に有利な具体的な実施形態では、上記のケーブル内部空間３には潤滑剤が与えられるか、または１つ以上の上記の信号導線５には潤滑剤が与えられて、これらの導線が引出し易いようになっている。
【００６９】
更に、導線５が互いに独立に長手方向に動く場合は有利である（例えば図８参照）。本発明の更にもう１つの具体的な実施形態では、ケーブル内の導線のグループは、長手方向に独立して動くことができる（例えば図７参照）。
【００７０】
図２−８に示すケーブル構造は、使用の際、特にネットワークを構築するために使用される際に極めて有利である。ここでは、例えばケーブルが設置された後で、上記の信号導線の上記の取出部分が全部もしくは部分的に、例えば引き出すことにより取り出され、信号受信手段および／または信号送信手段に接続される。
【００７１】
図９−１０は、例えば、真っ直ぐに伸びている中空空間で全ての信号導線が平行になっている特殊なケーブル（米国特許第６７１８１０１Ｂ２号参照）を用いて、ネットワークを構築する方法を示す。ここではケーブル１０１には導線１０５が設けられており、これは例えば地下に設けられている。ハンドホール１３４が設けられ、ここでケーブル１０１が到着し、この導線１０５の端面を他のネットワーク部品に接続するために、特定の導線長が露出される。次にケーブル１０１はケーブル端面から離れた場所で開けられ、例えば最終使用場所Ｈの近くで信号導線を露出する。次に信号導線１０５は切断され、所望の距離に渡ってケーブル１０１から引き出される（ハンドホールで露出された導線部分はこれによりケーブルの中に引き込まれる。図１０参照。）。例えば適合した分岐スプリッタＹが、引き出された導線１０５を、例えばエンドユーザＨの導線部品１３７に接続するのに用いられる（例えば米国特許第６６１９６９７号参照）。好ましくは、導線フィードスルー１３９、例えばフィードスルーチューブ１２９が、エンドユーザＨの導線部品１３７をＹ分岐コネクタに向けて通すのに用いられる。この方法の欠点は各信号導線にケーブルを引き出す際に長い距離に渡って大きな機械的負荷がかかることである。もう１つの欠点は余分なケーブル長がハンドホール１３４に設置されなければならず、そしてハンドホールにおいて、全ての導線１０５が所望のエンドユーザに接続されたあとでやっとケーブルは他のネットワーク部品に接続されることである。米国特許第６７１８１０１Ｂ２号のケーブル構造を用いた既知の方法では、分岐場所を越えて、第２の開口が所望の信号導線を切断する場所で開けられる（図示無し）。この信号導線は次に分岐場所に引き戻される。欠点は第２の開口を開けることと信号導線を引き戻すことであり、信号導線の捩れを引き起すリスクがあることである。
【００７２】
他の実施方法では、図１に示すケーブル構造が用いられる。しかしながら、この場合、所望の長さに渡って信号導線が得られるようにするためには、ケーブルの巻線（図示せず）が長いケーブル長に渡って切開されなければならない。
【００７３】
図１１は本発明による方法を示す。本方法は少なくとも１つの信号導線５、例えばガラスファイバーおよび／またはガラスファイバー束を備えたケーブルを少なくとも１つ提供することを含み、この信号導線の取出部分５’はケーブルの内部空間から取り出され、ここでは上記の取出部分の長さは、例えば上記の取出部分が取り出されるケーブルの長さまたはケーブルの部分の少なくとも１％であり、好ましくは２％より大きく、とりわけ好ましくは４％より大きく、そして更に好ましくは１０％より大きい。本ケーブル１および該当する（複数の）導線５はケーブル内に束縛され、これにより特に同時に設置できるアセンブリを形成する。
【００７４】
本ケーブル１は好ましくは図２−７に示す構造に従って構成される。本ケーブル１は好ましくは所望の場所（例えば地下）に設置され、このケーブル１が第１および第２の敷設点Ｐ１、Ｐ２の間に伸びるようにする。１つの敷設点Ｐ１は、例えば地中に埋設されたハンドホール１３４を含む。次にケーブル１は、上記の敷設点Ｐ１、Ｐ２の間の少なくとも１つの所望の場所で、上記の信号導線に到達するように開口される。これはまたケーブルにおける導線５の束縛を緩めることを可能にする。ケーブルの構造のため、ここでは開口Ｋは、ケーブル長手方向で測って、ケーブル１から取り出される信号導線５の所望の長さより（大幅に）短い長さに渡って設けられるようにできる。各々の開口の最大の大きさ（例えば長さ、直径）は、例えば取り出される信号導線部分の長さの１０％以下であり、好ましくは１％以下である。
【００７５】
開口Ｋの直径は、例えば信号導線５の断面の大きさの約１倍または２、３倍でよい。１つの構造ではこの開口Ｋの長さは１０ｃｍより小さい。「緩められた」導線５の取出部分５’は次に、好ましくは上記の敷設点Ｐ１、Ｐ２の近くで導線５の部分を動かすことなしに、得られた開口Ｋから所望の長さに渡ってケーブル１から取り出される（引き出される）。取出部分５’を提供するための余分な導線長は、具体的には比較的長いケーブル部分（上記参照）からもたらされる。
【００７６】
取出部分５’のケーブルからの取り出しは、緩められた導線５に実質的に導線の長手方向に張力を印加し、ケーブルから導線部分を引き出すことを含む。
【００７７】
取出後、例えば上記のＹ−分岐コネクタまたは他の方法を用いて、開口すなわち分岐は再び封止される。
【００７８】
本発明の他の有利な実施方法では、所望の長さに渡ってまだ引き出されていない、緩められた導線５は引出し手段、例えば引き出しワイヤに接続され、ケーブル開口Ｋはこの後、Ｙ分岐コネクタ手段などを用いて、適切に被覆あるいは閉鎖される。ここで好ましくは、この引出し手段は、作業のために外部からまだ到達することが可能である。この引出し手段はこの後の段階、例えば該当するエンドユーザがネットワークに接続を希望する場合に、これに接続された導線５をケーブル１から引き出すのに用いられる。
【００７９】
更なる詳細な実施形態では、上記のケーブル導線５は使用中に上記の第１の位置から第２の位置に持ってくることができる。この場合、第１の位置ではこのケーブル導線５はケーブル内で（ケーブルの比較的長い部分で）、該当するケーブル内部空間で多数の曲がりを生じる。上記の第２の位置では、ケーブル内の導線部分５は例えば、該当するケーブル内部空間で平行に伸びている（図２Ｂ、３Ｂ、６Ｂ参照）、または異なる状態で伸びている。特に、第２の位置においては、ケーブル内の導線部分５（これは少なくともケーブル取出長の一部となる）は第１の位置におけるよりも曲がりの回数がもっと少ないか、あるいは曲がりの量が少なく（例えば曲がりが少ないおよび／または曲がりが無い）なっている。
【００８０】
好ましくは、本発明のケーブル構造は、ケーブル内にあって上記の第１の位置にある信号導線の比較的長い部分５を、第２の位置に持ってきて、この導線部分の余分な長さを取り出して提供できるように、用いることができる。上記の比較的長い部分は従って、局所的に設けられる開口９よりも遥かに長く、そして好ましくは少なくとも１０メートルのケーブル長に渡って伸び、とりわけ好ましくは１００メートル以上（これは当然ケーブルの長さに依存する）である。
【００８１】
本発明の１つの構造によれば、この信号導線の比較的長い部分５はケーブル内にあって、取り出される導線部分の余分な長さを提供するために用いることができ（第１の位置から第２の位置に動かすことによって）、少なくとも約１０ｍの長さを持ってよく、とりわけ好ましくは少なくとも約１００ｍの長さを持ってよく、および／または例えばケーブル１の長さ（終端Ｐ１、Ｐ２の間で測って）の少なくとも１０％の長さを持ってよい。
【００８２】
更に、所望の導線引出長を提供する余分な導線長を含む各ケーブル部分のケーブル長（少なくとも、所望の導線取出し部分をケーブルから引き出す際に、導線が第１の位置から第２の位置に動くケーブル部分）は、例えば少なくとも１０ｍであり、好ましくは少なくとも１００ｍである。
【００８３】
本発明の１つの構造によれば、ケーブル断面で見て、第２の位置に持ってこられる導線部分は、この導線の第１の位置にあるとされる場所から少なくとも１つの横方向距離で離れている。好ましくは、この距離は少なくとも１つの導線の断面の大きさ（例えば直径）であり、例えば少なくとも１ｍｍの距離であり、そして好ましくは約１ｃｍ以上の距離である。
【００８４】
導線５の所望の部分が開口Ｋを通してケーブルから引き出された後で、この部分は、例えばエンドユーザＨの信号受信手段および／または信号送信手段と接続されてよく、例えば直接に、または間接にエンドユーザの導線を通して、他のネットワーク部品（図示せず）を用いた信号送信のために接続されてよい。
【００８５】
このようにして、比較的大きな機械的負荷を信号導線に与えることなく、信号導線の比較的長い部分が引き出される。更に、本ケーブル１は信号導線５に到達するために、比較的にほんの小さな長さに渡る開口を必要とする。更に、この導線は他のネットワーク部分と直接結合することができ、例えばハンドホール１３４において結合することができ、開口Ｋから引き出すために結合することができ、そしてもしケーブルの他の信号導線が所望の場所で分岐されなかった場合に結合することができる。
【００８６】
図１２は更に１つの具体的な実施形態を示し、これは余分なケーブル長を提供するためにケーブル１に１つ以上の余分な曲がりＢが設けられているという点で図１１に示す方法と異なっている。このようにして、もし所望の分岐点（開口Ｋ参照）がケーブル開始点Ｐ１から比較的短い距離にある場合に、適切な余分な長さを持った信号導線５が提供される。
【００８７】
図１３は更に本発明のもう１つの構造を示し、例えば分岐場所がケーブル開始点Ｐ１（例えばハンドホール１３４）から比較的近い位置にある場合を示す。本ケーブルには分岐開口Ｋが設けられており、ここでは第１のケーブル部分１Ａがこの開口Ｋとケーブル開始点Ｐ１との間に伸びており、これに対し第２のケーブル部分１Ｂはこの開口Ｋとケーブル終端Ｐ２との間に伸びている。この場合、信号導線５’はこの開始点Ｐ１に沿って、第１のケーブル部分１Ａからハンドホール１３４に引き出すことができる。更に、第２のケーブル部分１Ｂから得られる余分な信号導線取出長は、ハンドホール１３４に引き出され、これにより十分な信号導線長が現場で得られ、例えば居住場所あるいは他のエンドユーザＨに接続することができる。この長さは分岐場所で信号導線を切断した後で、再び分岐場所に引き寄せられる。信号導線を分岐場所に引き戻し、それから（第２の開口を用いずに）切断することも可能であるが、これは分岐が開始場所Ｐ１に近い場合である。
【００８８】
本発明による方法は、例えば以下のステップを含む。
開口または凹部Ｋをケーブル１に設けるステップと、
導線５を選択するステップと、
導線５を切断し、この導線をケーブル１から少なくとも１メートルの距離に渡って、特に供給点Ｐ１から離れる方向に引出すステップとを含む。
【００８９】
本発明による１つの構造では、ケーブル１から引き出された信号導線５は、任意に他の中空構造を通して（例えばフィードスルー１３９を通して）、例えば分岐終端に供給される。
【００９０】
前述したように、信号導線５は、例えば、ケーブル１から様々な方向に引き出すことができ、例えばケーブル部分１Ｂからケーブル供給部に向かう方向に対して下流に伸びる方向に（ケーブル開口Ｋから見て）引き出すことができる。
【００９１】
本発明による他の方法では、導線５はケーブル終端Ｐ１の近くで（例えばハンドホールにおいて）選択され、そしてそこでケーブル１から所望の距離に渡って引き出される。次に同じ導線５を下流の分岐点で、適切な開口Ｋで選択することができる。次に選択された導線５の所望の部分をこの開口Ｋを通してケーブル１から引き出すことができる。
【００９２】
本発明はここで説明した実施例に限定されないことは当業者にとってはすぐに明白となるであろう。種々の変形実施が、以下に続く請求項に記載した本発明の範囲内で可能である。
【００９３】
従って、各信号導線５は、例えば、１つ以上の、信号を伝導する、線、ガラスファイバー、ガラスファイバー束、銅線または様々な信号導線を備える。１つの信号導線５それ自体は、例えば適合した保護ケース内に設けられた１つ以上の信号伝導コアとリターンプーリとを備える。様々な導線５には、例えばマーキングを施してこれら導線が互いに区別されるようにしてよく、例えばカラーコードおよび／または文字を導線５に設けることによって行う。上記の信号導線５は１つ以上の光信号を伝導するか、または１つ以上の電気信号を伝送するように設計されている。同一ケーブルの種々の信号導線５は、例えば、各々の信号導線は、使用中は同じタイプの信号（例えば光）を伝導する。更に、１つ以上の信号導線は他の信号導線５と異なるタイプの信号を備えてよい（例えば電気信号および光信号の両方を同じケーブルで伝送する目的の場合）。各信号導線５は１つの材質から製造されてよく、または多くの材質から構成されてよい。各信号導線５は、例えば丈夫な構造であり、および／または好ましくは柔軟性がある（例えば上記の最少曲げ半径が用いられる）。
【００９４】
更に、各信号導線は、好ましくはケーブル内で多数の緩やかな曲がりで第１の導線位置に維持される。これにより各々の曲がりは、好ましくは、導線がこの曲がりによる損傷、破損および大幅な信号減衰を受けることなしに追従できるようなものである。
【００９５】
更に、本ケーブルは好ましくは追加の被覆無しで設置できるが、これはしかしながら必須ではない。これにより、本ケーブルはまたケーブルアセンブリの一部となり、このケーブルアセンブリで本ケーブルは１つ以上の追加の被覆、例えばチューブまたはダクトの中に敷設されてよい。更に、例えば、数個の本発明によるケーブルの束またはアセンブリが、この束またはアセンブリを所望の場所に同時に敷設することができるように、準備されてよい。
【００９６】
更に、本ケーブル壁の外側には、ケーブル導線が内部で伸びているところに、標識またはマーキングが施されてよい。特に、これらの標識は上記の内部空間または内部の溝を示すことができる。この標識は例えば、外部の溝を備えてよく、またはこれと異なる構造でよい。この標識は例えば、所望の位置でケーブルに小さい通路を作ることに用いられ、これにより、例えば分岐を行うために、ケーブル１内に設置された１つ以上の信号導線に到達することができる。２つ以上のこのような外部の溝の大きさや形を変えることにより、全ての位置が明確にされて見つけられるようになり、例えば計数手段により見つけることができる。
【００９７】
他の可能性としてはケーブルの外側にカラーコードを設けることがあり、例えば印刷または共押出成形手段により、内部の溝の位置をマーキングすることができる。このマーキング手段は色々なやりかたで設計でき、例えば、ケーブル壁の局所的な開口を容易にするために弱い構造とすることを含む。
【００９８】
更に、本発明はケーブルアセンブリ、例えばおよそ１つ以上のケーブルツリーのロールを準備することに使用されてよい。このため、本発明により、ケーブル壁は１つ以上の所望の、事前に定められた分岐点で、工場で開口される。これより、こうして設けられた開口を通して所望の信号導線に到達し、そして例えば切断される。こうして準備された信号導線部品には、任意で接続手段が設けられ、例えば信号送信用プラグが設けられる。この後、このような接続手段は、（該当する上記のケーブル壁の開口を通して）ケーブルに押し込むことにより、ケーブル内に格納される。次に、このケーブルはロールに巻き取られるが、ここで上記の分岐には好ましくは保護手段、例えば着脱可能なカバーが設けられる。更に、例えば分岐導線が事前に準備され、そしてケーブルと共に巻き取られる。このようにして得られた、１つ以上の分岐が設けられたケーブルは、この後所望の最終目的地に持って行かれ、例えばケーブルネットワークの一部となる。
【００９９】
本発明のケーブル１の各部分は、例えば該当するもっと長い導線部分を含んでよい。他の形態では、本ケーブルには該当するもっと長い導線がほんの部分的に設けられてよく、この場合は本ケーブルには少なくとも１つの他のケーブル部分が設けられてよく、この他のケーブル部分は、他のケーブル部分と同じ長さの該当する導線か、またはこのケーブル部分に１％より小さい余分な長さの導線を含んでよい。このケーブルは、例えば適切な長さに渡って、あるいは事前に決められた順序で、例えば交互に、実質的にもっと長い導線部分を備えた部分（少なくとも各々のケーブル部分の１％より長く）と、実質的に長くない導線部分を備えた部分とに更に分割されてよい。
【図１】
2010528341.tif 000003
【図２】
2010528341.tif 000004
【図３】
2010528341.tif 000005
【図４】
2010528341.tif 000006
【図５】
2010528341.tif 000007
【図６】
2010528341.tif 000008
【図７】
2010528341.tif 000009
【図８】
2010528341.tif 000010
【図９】
2010528341.tif 000011
【図１０】
2010528341.tif 000012
【図１１】
2010528341.tif 000013
【図１２】
2010528341.tif 000014
【図１３】
2010528341.tif 000015
【国際調査報告】
2010528341.tif 000016
2010528341.tif 000017
2010528341.tif 000018